(57)【要約】【課題】  液晶装置等の電気光学装置において、位相差補正回路に起因した電源信号におけるノイズを低減し、高品位の画像表示を行う。【解決手段】  電気光学装置において、画像信号線は、基板上で平面的に見て、外部回路接続端子から、データ線駆動回路における一対の第２辺の一方側へ引き回されており、クロック信号線、反転クロック信号線、第１電源配線、及び第２電源配線は、基板上で平面的に見て、外部回路接続端子から、データ線駆動回路における一対の第２辺の他方側へ引き回されており、位相差補正回路は、基板上で平面的に見て、データ線駆動回路における一対の第２辺の一方側に配置されている。【選択図】  図３
2006215377.tif 000002
【特許請求の範囲】
【請求項１】
基板上に、
複数の画素が配列された画素領域と、
前記画素領域の周辺に位置する周辺領域において前記基板の第１辺に沿って配置されておりデータ線を介して前記画素を駆動するためのデータ線駆動回路と、
前記第１辺に隣接する一対の第２辺の少なくとも一方に沿って配置されており走査線を介して前記画素を駆動するための走査線駆動回路と、
前記周辺領域において前記第１辺の縁に沿って配列された複数の外部回路接続端子と、
該複数の外部回路接続端子から前記データ線駆動回路へ引き回される、画像信号を供給するための画像信号線、クロック信号を供給するためのクロック信号線、前記クロック信号に対して位相が反転している反転クロック信号を供給するための反転クロック信号線、第１電位の電源を供給するための第１電源配線、及び前記第１電位よりも低い第２電位の電源を供給するための第２電源配線を含む、複数の引回配線と、
前記クロック信号線及び前記反転クロック信号線の途中に配置されており、前記クロック信号及び前記反転クロック信号の位相差を補正する位相差補正回路と
を備えており、
前記画像信号線は、前記基板上で平面的に見て、前記外部回路接続端子から、前記データ線駆動回路における前記一対の第２辺の一方側へ引き回されており、
前記クロック信号線、前記反転クロック信号線、前記第１電源配線、及び前記第２電源配線は、前記基板上で平面的に見て、前記外部回路接続端子から、前記データ線駆動回路における前記一対の第２辺の他方側へ引き回されており、
前記位相差補正回路は、前記基板上で平面的に見て、前記データ線駆動回路における前記一対の第２辺の一方側に配置されている
ことを特徴とする電気光学装置。
【請求項２】
前記クロック信号線、前記反転クロック信号線、前記第１電源配線、及び前記第２電源配線は、前記複数の外部回路接続端子のうち、前記基板上で平面的に見て、前記画像信号線が接続された端子と比べて前記一対の第２辺の他方側に近い端子から引き回されている
ことを特徴とする請求項１に記載の電気光学装置。
【請求項３】
前記複数の引回配線は、前記走査線駆動回路に接続された走査線駆動用配線を更に含み、
前記走査線駆動用配線は、前記複数の外部回路接続端子のうち、前記基板上で平面的に見て、前記画像信号線が接続された端子と比べて前記一対の第２辺の一方側に近い端子から引き回されているか又は、前記クロック信号線、前記反転クロック信号線、前記第１電源配線、及び前記第２電源配線が接続された端子と比べて前記一対の第２辺の他方側に近い端子から引き回されている
ことを特徴とする請求項２に記載の電気光学装置。
【請求項４】
前記複数の引回配線は、前記データ線駆動回路が前記画像信号をサンプリングする際のサンプリング期間を制限するイネーブル信号を供給するためのイネーブル供給線を更に含み、
前記イネーブル供給線は、前記基板上で平面的に見て、前記データ線駆動回路における前記一対の第２辺の他方側に引き回されている
ことを特徴とする請求項１から３のいずれか一項に記載の電気光学装置。
【請求項５】
前記イネーブル供給線、前記クロック信号線及び前記反転クロック信号線は、少なくとも部分的に、前記基板上で平面的に見て、前記第１電源配線及び前記第２電源配線の間に配線されている
ことを特徴とする請求項４に記載の電気光学装置。
【請求項６】
請求項１から５のいずれか一項に記載の電気光学装置を具備してなることを特徴とする電子機器。
【発明の詳細な説明】
【技術分野】
【０００１】
本発明は、例えば液晶装置等の電気光学装置、及び該電気光学装置を備えた、例えば液晶プロジェクタ等の電子機器の技術分野に関する。
【背景技術】
【０００２】
この種の電気光学装置では、画素電極等の表示用電極や、これを駆動するためのデータ線駆動回路、走査線駆動回路等の回路部が設けられた基板上に、その一辺の縁に沿って、複数の外部回路接続端子が配列されている。基板上には更に、これら複数の外部回路接続端子から走査線駆動回路やデータ線駆動回路等の回路部へと引き回される複数の引回配線が配線される。ここで、データ線駆動回路は、外部回路接続端子が設けられた基板の一辺に沿って設けられ、走査線駆動回路は、その一辺の両側に位置する二つの辺の少なくとも一方に沿って設けられる場合が多い。
【０００３】
このようなデータ線駆動回路に対しては、その駆動動作の基本となるクロック信号とこれに対して位相が反転している反転クロック信号とが、外部回路から外部回路接続端子及び引回配線を介して供給される。この際、クロック信号と反転クロック信号との位相は、正確に反転位相であることが是非望ましいため、基板上には更に、両クロック信号の位相を反転位相にするように補正する位相差補正回路が設けられる（特許文献１参照）。
【０００４】
本願出願人により提案された、この特許文献１に開示された技術によれば、その性質上極めて高周波であるクロック信号や反転クロック信号から画像信号に対するノイズを低減させる目的から、画像信号を、データ線の一方側（例えば左辺寄り）から引き回すと共に、クロック信号を、データ線の他方側（例えば右寄り）から引き回すようにしている。更に、画像信号線を高周波ノイズ源としてのクロック信号から電磁シールドする機能を持たせるべく且つ基板上で引回配線が相交差しないようにするべく、グランド電位などの低電位の電源配線については、画像信号線に沿ってデータ線の一方側（例えば左辺寄り）から上述した位相差補正回路まで引き回されると共に、高電位の電源配線については、クロック信号線に沿ってデータ線の他方側（例えば右寄り）から位相差補正回路まで引き回される。これらにより、データ線駆動回路や位相差補正回路を動作させるための、クロック信号、反転クロック信号、各種電源信号、画像信号、制御信号等の各種信号を供給することが可能となるとされている。
【０００５】
その他にも、このような各種信号について相互干渉による誤動作を軽減させるために、外部回路接続端子の配列について工夫が、本願出願人によって提案されている（特許文献１及び２参照）。
【０００６】
【特許文献１】特開２００４−１２６５５１号公報
【特許文献２】特開平８−８２８０４号公報
【特許文献３】特開平９−１７１１８９号公報
【発明の開示】
【発明が解決しようとする課題】
【０００７】
しかしながら、本願出願人により提案された特許文献１の技術によれば、一方で、上述の如くグランド電位を、画像信号線に沿ってデータ線の一方側（例えば左辺寄り）からデータ線駆動回路の周囲を迂回して位相差補正回路まで引き回すので、グランド電位に係る電源配線における配線長或いは配線抵抗が、基本的に増加している。他方で、位相差補正回路において、クロック信号及び反転クロック信号は、データ線駆動回路等において入力される回路数が多く、即ち、クロック信号線及び反転クロック信号線に付く容量が大きい。このため、位相差補正回路を構成するトランジスタは、必然的に大きくなるので、より具体的には複数段からなるインバータの最終段では特にトランジスタは大きくなるので、そのグランド電位側に流れる電流は、無視し得ないほどに大きくなる。これらの結果、グランド電位が、クロック信号及び反転クロック信号の立ち上がりや立下りに応じて無視し得ない程に振られるという技術的問題点がある。言い換えれば、電源配線上のグランド電位に対して、クロック信号及び反転クロック信号の立ち上がりや立下りに応じたスパイク状のノイズが発生するという技術的問題点がある。このような電源電位におけるノイズは、最終的には、例えば複数系列のイネーブル信号を用いた場合における、画像表示領域に系列ムラや帯状のムラ等の劣化を起こしかねない。
【０００８】
また、前述した特許文献１及び２によれば、このような位相差補正回路に係る技術的問題点は解決されていない。
【０００９】
本発明は上記問題点に鑑みてなされたものであり、位相差補正回路に起因した電源信号におけるノイズが低減されており、高品位の画像表示を行うことが可能な電気光学装置、及びそのような電気光学装置を具備してなる電子機器を提供することを課題とする。
【課題を解決するための手段】
【００１０】
本発明の電気光学装置は上記課題を解決するために、基板上に、複数の画素が配列された画素領域と、前記画素領域の周辺に位置する周辺領域において前記基板の第１辺に沿って配置されておりデータ線を介して前記画素を駆動するためのデータ線駆動回路と、前記第１辺に隣接する一対の第２辺の少なくとも一方に沿って配置されており走査線を介して前記画素を駆動するための走査線駆動回路と、前記周辺領域において前記第１辺の縁に沿って配列された複数の外部回路接続端子と、該複数の外部回路接続端子から前記データ線駆動回路へ引き回される、画像信号を供給するための画像信号線、クロック信号を供給するためのクロック信号線、前記クロック信号に対して位相が反転している反転クロック信号を供給するための反転クロック信号線、第１電位の電源を供給するための第１電源配線、及び前記第１電位よりも低い第２電位の電源を供給するための第２電源配線を含む、複数の引回配線と、前記クロック信号線及び前記反転クロック信号線の途中に配置されており、前記クロック信号及び前記反転クロック信号の位相差を補正する位相差補正回路とを備えており、前記画像信号線は、前記基板上で平面的に見て、前記外部回路接続端子から、前記データ線駆動回路における前記一対の第２辺の一方側へ引き回されており、前記クロック信号線、前記反転クロック信号線、前記第１電源配線、及び前記第２電源配線は、前記基板上で平面的に見て、前記外部回路接続端子から、前記データ線駆動回路における前記一対の第２辺の他方側へ引き回されており、前記位相差補正回路は、前記基板上で平面的に見て、前記データ線駆動回路における前記一対の第２辺の一方側に配置されている。
【００１１】
本発明の電気光学装置によれば、その動作時には、外部回路から外部回路接続端子及び引回配線を経由して、データ線駆動回路を動作させるための、クロック信号、反転クロック信号、第１電源信号、第２電源信号及び画像信号等の各種信号がデータ線駆動回路に供給される。これと並行して、外部回路から外部回路接続端子及び引回配線を経由して、走査線駆動回路を動作させるための、クロック信号、反転クロック信号、第１電源信号、第２電源信号等の各種信号が走査線駆動回路に供給される。これらにより、データ線駆動回路によりデータ線を介して画像信号が画素に供給されると共に、走査線駆動回路により走査線を介して走査信号が画素に供給され、例えば液晶等の電気光学物質を各画素で駆動することで、アクティブマトリクス駆動が行なわれる。この際、クロック信号線及び反転クロック信号線の途中に配置された位相差補正回路により、クロック信号及び反転クロック信号の位相差は補正されている。言い換えれば、位相差補正回路により、クロック信号及び反転クロック信号の位相差を、相互に反転位相に近付けるように、理想的には、実践な意味で、相互に反転位相とするように補正が行われている。このように位相差補正回路による補正動作によってクロック信号（言い換えれば、正転クロック信号）と反転クロック信号との間のタイミングの調整は適切に行なわれている。尚、このような走査線及びデータ線は、例えば、基板上に相互に交差するように且つ夫々複数配線される。また、このような画素は、例えば、画素電極と、走査線にゲートが接続され且つデータ線から供給される画像信号を走査線から供給される走査信号に応じて画素電極へ選択的に供給する画素スイッチング用のＴＦＴとを有する。
【００１２】
本発明の電気光学装置では特に、画像信号線は、外部回路接続端子から、例えば下辺である第１辺に沿って配置されたデータ線駆動回路における、一対の第２辺の一方側（例えば、左側）へ引き回されている。これに対して、クロック信号線、反転クロック信号線、第１電源配線、及び第２電源配線は、外部回路接続端子から、データ線駆動回路における、一対の第２辺の他方側（例えば、右側）へ引き回されている。その上、位相差補正回路は、データ線駆動回路における、一対の第２辺の一方側（例えば、右側）に、配置されている。従って、高周波ノイズ源となり得るクロック信号及び反転クロック信号が供給される配線であるクロック信号線及び反転クロック信号線を、画像信号線から基板面に沿って離間させて配線することを可能ならしめつつ、しかも、第１電源配線及び第２電源配線から位相差補正回路に至る配線長を、前述した特許文献１等の背景技術の場合と比較して顕著に短くすることが可能となる。これらの結果、位相差補正回路を構成するトランジスタが大きく、より具体的には複数段からなるインバータの最終段で特にトランジスタが大きく、そのグランド電位側に流れる電流が無視し得ないほどに大きい場合であっても、外部回路接続端子及び上述の如く配線長が短い引回配線たる、第１電源配線及び第２電源配線を介して、外部回路から極めて安定な電源の供給を行うことが可能となる。即ち、基板上に内蔵される電源回路と比べて、格段に安定した電源供給を実施可能な電源回路を外部回路として構築することは容易であるので、このような本発明における安定な電源供給が可能となるのである。
【００１３】
従って、クロック信号及び反転クロック信号による画像信号に対する高周波ノイズを低減しつつ、グランド電位が、クロック信号及び反転クロック信号の立ち上がりや立下りに応じて大きく振られる事態を回避できる。或いは、クロック信号及び反転クロック信号の立ち上がりや立下りに応じて振られるグランド電位の変動分を、小さくすることが可能となる。言い換えれば、クロック信号及び反転クロック信号による画像信号に対する高周波ノイズを低減しつつ、電源配線上のグランド電位に対して、クロック信号及び反転クロック信号の立ち上がりや立下りに応じたスパイク状のノイズが発生する事態を回避できる。即ち、グランド電位において、クロック信号及び反転クロック信号の立ち上がりや立下りに応じて発生するスパイク状のノイズを小さくすることが可能となる。
【００１４】
以上の結果、本発明の電気光学装置によれば、位相差補正回路に起因した電源信号におけるノイズが低減されており、高品位の画像表示を行うことが可能となる。
【００１５】
本発明の電気光学装置の一態様では、前記クロック信号線、前記反転クロック信号線、前記第１電源配線、及び前記第２電源配線は、前記複数の外部回路接続端子のうち、前記基板上で平面的に見て、前記画像信号線が接続された端子と比べて前記一対の第２辺の他方側に近い端子から引き回されている。
【００１６】
この態様によれば、画像信号線が接続される端子が一対の第２辺の一方側（例えば、左側）に近い端子であり且つ画像信号線が同じく一対の第２辺の一方側（例えば、左側）に引き回されているのに対して、クロック信号線、反転クロック信号線、第１電源配線、及び第２電源配線が接続される端子が、一対の第２辺の他方側（例えば、右側）に近い端子であり且つこれらの配線が同じく一対の第２辺の他方側（例えば、右側）に引き回されている。従って、これら複数の引回配線を、外部回路接続端子からデータ線駆動回路に至るまで、相交差しないように、基板上に平面レイアウトできる。
【００１７】
この態様では、前記複数の引回配線は、前記走査線駆動回路に接続された走査線駆動用配線を更に含み、前記走査線駆動用配線は、前記複数の外部回路接続端子のうち、前記基板上で平面的に見て、前記画像信号線が接続された端子と比べて前記一対の第２辺の一方側に近い端子から引き回されているか又は、前記クロック信号線、前記反転クロック信号線、前記第１電源配線、及び前記第２電源配線が接続された端子と比べて前記一対の第２辺の他方側に近い端子から引き回されていてもよい。
【００１８】
このように構成すれば、これら複数の引回配線を、外部回路接続端子からデータ線駆動回路又は走査線駆動回路に至るまで、相交差しないように、基板上に平面レイアウトできる。尚、走査線駆動回路用配線としては、例えば、走査線駆動回路を動作させるための、クロック信号、反転クロック信号、第１電源信号、第２電源信号等の各種信号を供給する引回配線であり、一部において、データ線駆動回路を動作させるための引回配線が、兼用されていてもよい。但し、走査線駆動回路を動作させるための、クロック信号及び反転クロック信号は、データ線駆動回路を動作させるための、クロック信号及び反転クロック信号と比べて、周波数が顕著に低いので、画像信号に対するノイズ源としては、殆ど無視できる。
【００１９】
本発明の電気光学装置の他の態様では、前記複数の引回配線は、前記データ線駆動回路が前記画像信号をサンプリングする際のサンプリング期間を制限するイネーブル信号を供給するためのイネーブル供給線を更に含み、前記イネーブル供給線は、前記基板上で平面的に見て、前記データ線駆動回路における前記一対の第２辺の他方側に引き回されている。
【００２０】
この態様によれば、当該電気光学装置の動作時には、データ線駆動回路における画像信号をサンプリングする際のサンプリング期間が、複数系列又は一系列のイネーブル信号によって制限される。従って、相前後するサンプリング期間が微小に重なって、画像信号がサンプリングされることによる、ゴースト等の画質劣化を効果的に防止できる。しかも、このようなイネーブル信号は、その性質上、クロック信号の周波数と同程度に高い周波数を有するので、画像信号に対する高周波ノイズ源となり得る。しかるに本態様では、イネーブル供給線は、クロック信号線等と同じく、データ線駆動回路における、一対の第２辺の他方側（例えば、右側）に引き回されている。即ち、画像信号線と逆側に引き回されているので、高周波ノイズ源となり得るイネーブル信号が供給される配線であるイネーブル供給線を、画像信号線から基板面に沿って離間させて配線できる。
【００２１】
この態様では、前記イネーブル供給線、前記クロック信号線及び前記反転クロック信号線は、少なくとも部分的に、前記基板上で平面的に見て、前記第１電源配線及び前記第２電源配線の間に配線されていてもよい。
【００２２】
このように構成すれば、基板上において、第１電源配線及び前記第２電源配線を電磁シールドとしても機能させることで、イネーブル供給線、クロック信号線及び反転クロック信号線からの高周波ノイズから、画像信号線を隔離することが可能となる。よって、より高品位の画像表示が可能となる。
【００２３】
本発明の電子機器は、上述した本発明の電気光学装置を具備してなるので、高品位の画像を表示可能な、テレビ、携帯電話、電子手帳、ワードプロセッサ、ビューファインダ型又はモニタ直視型のビデオテープレコーダ、ワークステーション、テレビ電話、ＰＯＳ端末、タッチパネルなど、更には電気光学装置を露光用ヘッドとして用いたプリンタ、コピー、ファクシミリ等の画像形成装置など、各種電子機器を実現できる。また、本発明の電子機器として、例えば、電子ペーパなどの電気泳動装置、電子放出装置（Field Emission Display及びConduction Electron-Emitter Display）等を実現することも可能である。
【００２４】
本発明のこのような作用及び他の利得は次に説明する実施の形態から明らかにされる。
【発明を実施するための最良の形態】
【００２５】
以下では、本発明の実施形態について図を参照しつつ説明する。以下の実施形態では、本発明の電気光学装置の一例である駆動回路内蔵型のＴＦＴアクティブマトリクス駆動方式の液晶装置を例にとる。
【００２６】
（第１実施形態）
第１実施形態に係る電気光学装置について、図１から図８を参照して説明する。
【００２７】
先ず、図１及び図２を参照して、本実施形態に係る電気光学装置の全体構成について、説明する。ここに図１は、本実施形態に係る電気光学装置の構成を示す平面図であり、図２は、図１のＨ−Ｈ’線での断面図である。
【００２８】
図１及び図２において、本実施形態に係る電気光学装置では、ＴＦＴアレイ基板１０と対向基板２０とが対向配置されている。ＴＦＴアレイ基板１０と対向基板２０との間に液晶層５０が封入されており、ＴＦＴアレイ基板１０と対向基板２０とは、複数の画素が配列された画素領域たる画像表示領域１０ａの周囲に位置するシール領域に設けられたシール材５２により相互に接着されている。
【００２９】
図１において、シール材５２が配置されたシール領域の内側に並行して、画像表示領域１０ａの額縁領域を規定する遮光性の額縁遮光膜５３が、対向基板２０側に設けられている。周辺領域のうち、シール材５２が配置されたシール領域の外側に位置する領域には、データ線駆動回路１０１及び外部回路接続端子１０２がＴＦＴアレイ基板１０の一辺に沿って設けられている。この一辺に沿ったシール領域よりも内側に、サンプリング回路３０１が額縁遮光膜５３に覆われるようにして設けられている。また、走査線駆動回路１０４は、この一辺に隣接する２辺に沿ったシール領域の内側に、額縁遮光膜５３に覆われるようにして設けられている。また、ＴＦＴアレイ基板１０上には、対向基板２０の４つのコーナー部に対向する領域に、両基板間を上下導通材１０７で接続するための上下導通端子１０６が配置されている。これらにより、ＴＦＴアレイ基板１０と対向基板２０との間で電気的な導通をとることができる。
【００３０】
ＴＦＴアレイ基板１０上には、外部回接続端子１０２と、データ線駆動回路１０１、走査線駆動回路１０４、上下導通端子１０６等とを電気的に接続するための引回配線９０が形成されている。
【００３１】
図２において、ＴＦＴアレイ基板１０上には、駆動素子である画素スイッチング用のＴＦＴ（Ｔｈｉｎ Ｆｉｌｍ Ｔｒａｎｓｉｓｔｏｒ）や走査線、データ線等の配線が作り込まれた積層構造が形成される。画像表示領域１０ａには、画素スイッチング用ＴＦＴや走査線、データ線等の配線の上層に画素電極９ａが設けられている。他方、対向基板２０におけるＴＦＴアレイ基板１０との対向面上に、遮光膜２３が形成されている。そして、遮光膜２３上に、ＩＴＯ等の透明材料からなる対向電極２１が複数の画素電極９ａと対向して形成される。
【００３２】
尚、ここでは図示しないが、ＴＦＴアレイ基板１０上には、データ線駆動回路１０１、走査線駆動回路１０４の他に、後述する位相差補正回路１０８等が形成されている。これに加えて、製造途中や出荷時の当該液晶装置の品質、欠陥等を検査するための検査回路、検査用パターン等が形成されていてもよい。
【００３３】
次に図３及び図４を参照して、外部回路接続端子の配列及び引回配線のレイアウトについて説明する。ここに図３は、図１の電気光学装置における外部回路接続端子の配列及び引回配線のレイアウトを示す部分拡大平面図である。図４は、変形例における画像信号線のレイアウトを示す部分拡大図である。
【００３４】
図３に示すように、本実施形態に係る電気光学装置は、複数の外部回路接続端子１０２と、複数の外部回路接続端子１０２からデータ線駆動回路１０１へ引き回される、画像信号ＶＩＤを供給するための画像信号線９１、クロック信号ＣＬＸを供給するためのクロック信号線９２、クロック信号ＣＬＸに対して位相が反転している反転クロックを供給するための反転クロック信号線９３、第１電位の電源を供給するための第１電源配線８１、及び前記第１電位よりも低い第２電位の電源を供給するための第２電源配線８２を含む、複数の引回配線９０を備える。更に、クロック信号線９２及び反転クロック信号線９３の途中に配置されており、クロック信号ＣＬＸ及び反転クロック信号ＣＬＸＢの位相が互いに反転位相に近付けるように（望ましくは完全な反転位相となるように）、クロック信号ＣＬＸ及び反転クロック信号ＣＬＸＢの位相差を補正する位相差補正回路１０８を備える。画像信号線９１は、ＴＦＴアレイ基板１０上で平面的に見て、外部回路接続端子１０２から、データ線駆動回路１０１における一対の第２辺の一方側（図３中、左側）へ引き回されている。クロック信号線９２、反転クロック信号線９３、第１電源配線８１、及び第２電源配線８２は、ＴＦＴアレイ基板１０上で平面的に見て、外部回路接続端子１０２から、データ線駆動回路１０１における一対の第２辺の他方側（図３中、右側）へ引き回されている。位相差補正回路１０８は、ＴＦＴアレイ基板１０上で平面的に見て、データ線駆動回路１０１における一対の第２辺の一方側（図３中、右側）に配置されている。
【００３５】
データ線駆動回路１０１は、シフトレジスタ４０１、選択回路４０２及びバッファ回路４０３を含んで構成されている。シフトレジスタ４０１は、シフトレジスタ４０１の各段から転送信号を出力し、選択回路４０２及びバッファ回路４０３を介してサンプリング回路３０１に供給する機能を有している。
【００３６】
次に、このように構成された本実施形態に係る電気光学装置の動作について、図３及び図４を参照しつつ説明する。
【００３７】
その動作時には、外部回路接続端子１０２にＦＰＣ等を介して接続された外部回路から外部回路接続端子１０２及び引回配線９０を経由して、データ線駆動回路１０１を動作させるための、クロック信号ＣＬＸ、反転クロック信号ＣＬＸＢ、第１電源信号ＶＤＤＸ、第２電源信号ＶＳＳＸ及び画像信号ＶＩＤ等の各種信号がデータ線駆動回路１０１に供給される。これと並行して、外部回路から外部回路接続端子１０２及び引回配線９０を経由して、走査線駆動回路１０４を動作させるための、クロック信号ＣＬＹ、反転クロック信号ＣＬＹＢ、第１電源信号ＶＤＤＹ、第２電源信号ＶＳＳＹ等の各種信号が走査線駆動回路１０４に供給される。これらにより、データ線駆動回路１０１によりデータ線６を介して画像信号ＶＩＤが画素部に供給されると共に、走査線駆動回路１０４により走査線３を介して走査信号が画素部に供給され、電気光学物質の一例である液晶を各画素部で駆動することで、アクティブマトリクス駆動が行なわれる。
【００３８】
尚、ここでは説明の簡便のために画像信号線９１は一本とし、サンプリング回路３０１を構成するいずれのサンプリングスイッチもこの画像信号線９１から画像信号ＶＩＤを供給されるようにしているが、図４に変形例として示すように、画像信号は、シリアル−パラレル展開（即ち、相展開）されていてもよい。画像信号線９１からの分岐配線１１６は、サンプリング回路３０１を構成するＴＦＴ等からなるサンプリングスイッチ３０２のソースに接続されており、データ線駆動回路１０１からのサンプリング回路駆動信号線１１７は、サンプリングスイッチ３０２のゲートに接続されている。よって、電気光学装置の動作時には、外部回路から画像信号端子１０２ｖに印加される画像信号は、画像信号線９１からの分岐配線１１６を経てサンプリング回路３０１へ供給される。ここで、サンプリング回路３０１へ供給される画像信号は、６相にシリアル−パラレル展開された画像信号の夫々に対応して、６本のデータ線６の組に対してグループ毎に供給される。そして、画像信号は、データ線駆動回路１０１からサンプリング回路駆動信号線１１７を経て供給される、シフトレジスタ出力に基づくサンプリング回路駆動信号に応じたタイミングで、サンプリングされる。サンプリングされた画像信号は、各データ線６に供給されることになる。従って、本変形例によれば、サンプリング回路３０１におけるサンプリングの周波数、言い換えればデータ線駆動回路１０１における駆動周波数の上昇を抑えつつ、次に詳述するように位相差補正回路１０８に起因した電源信号におけるノイズを低減することで、より一層高品位の画像表示を行うことが可能となる。
【００３９】
この際、クロック信号線９２及び反転クロック信号線９３の途中に配置された位相差補正回路１０８による補正動作によって、クロック信号ＣＬＸ（言い換えれば、正転クロック信号）と反転クロック信号ＣＬＸＢとの間のタイミングの調整は適切に行なわれている。即ち、クロック信号ＣＬＸと反転クロック信号ＣＬＸＢの位相は、相互に反転位相とされている。尚、このような走査線３及びデータ線６は、ＴＦＴアレイ基板１０上に相互に交差するように且つ夫々複数配線されている。また、画像表示領域１０ａにマトリクス状に配列される画素部は、夫々、画素毎に設けられた画素電極９ａと、走査線３にゲートが接続され且つデータ線６から供給される画像信号ＶＩＤを走査線から供給される走査信号に応じて画素電極９ａへ選択的に供給する、画素毎に設けられた画素スイッチング用のＴＦＴとを有する。
【００４０】
次に、位相差補正回路１０８について、図３、図５及び図６を参照しつつ説明する。ここに図５は、位相差補正回路の回路図であり、図６は、図５の回路における各位置での信号波形を示すタイミングチャートである。
【００４１】
図３において、本実施形態に係る電気光学装置は、ＴＦＴアレイ基板１０上に、クロック信号ＣＬＸ及び反転クロック信号ＣＬＸＢ間の位相差を低減する位相差補正回路１０８を備える。
【００４２】
図５において、位相差補正回路１０８は、第１バッファ回路５０１と、双安定性回路５０２と、弟２バッファ回路５０３とから構成されている。弟１バッファ回路はインバータ５０１ａ及び５０１ｂから、双安定性回路５０２はインバータ５０２ａ及び５０２ｂから、第２バッファ回路５０３はインバータ５０３ａ、５０３ａ’５０３ｂ及び５０３ｂ’から夫々、構成されている。各インバータを構成する一方のトランジスタのソースは、第１電源配線８１と電気的に接続され、第１電源信号ＶＤＤＹが供給される。また、他方のトランジスタのドレインは、第２電源配線８２と電気的に接続され、第２電源信号ＶＳＳＹが供給される。
【００４３】
尚、図５に示した位相差補正回路１０８の回路構成は、一例であり、他の回路構成を採用することは勿論可能である。
【００４４】
図６に示すように、反転クロック信号ＣＬＸＢの位相が、クロック信号ＣＬＸの位相に対し、Ｒ１及びＲ１’の地点で期間Ｔだけ位相差が生じたとしても、双安定性回路５０２により、位相差が補正され、当該双安定性回路５０２から出力した地点Ｒ３及びＲ３’では位相差が、殆ど発生しない。
【００４５】
図５において、位相差補正回路１０８では、インバータ５０１ａ及び５０１ｂから構成されるバッファ回路５０１において、クロック信号ＣＬＸと反転クロック信号ＣＬＸＢを供給する回路におけるトランジスタの駆動能力を補うと共に、双方向性回路５０２の一方のインバータ５０２ａの出力を他方のインバータ５０２ｂの入力に、また他方のインバータ５０２ｂの出力を一方のインバータ５０２ａの入力に夫々供給することによって、夫々のインバータ５０２ａ及び５０２ｂの入力信号に正帰還をかけて位相差を無くす構成となっている。
【００４６】
更に、双安定性回路５０２の後に、弟２バッファ回路５０３が設けてあり、この第２バッファ回路５０３の働きにより、双安定性回路５０２の駆動能力の低下を防止している。つまり、双安定性回路５０２からクロック信号線９２及び反転クロック信号線９３を引き回すことにより各回路にクロック信号ＣＬＸ及び反転クロック信号ＣＬＸＢを供給した場合には、クロック信号線９２及び反転クロック信号線９３の容量により、クロック信号ＣＬＸ及び反転クロック信号ＣＬＸＢが劣化することが考えられる。しかし、双安定性回路５０２の駆動能力の低下は第２バッファ回路５０３により防止され、クロック信号ＣＬＸ及び反転クロック信号ＣＬＸＢが良好にデータ線駆動回路１０１に供給されることになる。
【００４７】
上述のように双安定性回路５０２の駆動能力の低下を防止するためには、第２バッファ回路５０３のインバータ５０３ａ、５０３ａ’、５０３ｂ及び５０３ｂ’のオン抵抗は、できる限り低い値に設定することが必要となる。同様に、第１バッファ回路５０１の駆動能力の低下を防止するためには、双安定性回路５０２のインバータ５０２ａ及び５０２ｂのオン抵抗を、できる限り低い値に設定することが必要となる。このため、本実施形態のように、複数のインバータがカスケード接続された構成においては、各インバータを構成するトランジスタのチャネル長は一定で、後段のインバータを構成するトランジスタほどより大きなゲート幅Ｗで設計する必要がある。図５に示すように、本実施形態では、例えば、インバータを構成するトランジスタのゲート幅Ｗは、前段から順に、１００ｕｍ、２００ｕｍ、５００、１５００ｕｍのように設計されている。このように特に、最終段でのトランジスタを大きく設計する必要がある。
【００４８】
再び図３において、本実施形態に係る電気光学装置では特に、画像信号線９１は、外部回路接続端子１０２から、データ線駆動回路１０１における、一対の第２辺の一方側（図３中、左側）へ引き回されている。これに対して、クロック信号線９２、反転クロック信号線９３、第１電源配線８１、及び第２電源配線８２は、外部回路接続端子１０２から、データ線駆動回路１０１における、一対の第２辺の他方側（図３中、右側）へ引き回されている。その上、位相差補正回路１０８は、データ線駆動回路１０１における、一対の第２辺の一方側（図３中、右側）に、配置されている。
【００４９】
従って、高周波ノイズ源となり得るクロック信号ＣＬＸ及び反転クロック信号ＣＬＸＢが供給される配線であるクロック信号線９２及び反転クロック信号線９３を、画像信号線９１からＴＦＴアレイ基板１０面に沿って離間させて配線することを可能ならしめつつ、しかも、第１電源配線８１及び第２電源配線８２から位相差補正回路１０８に至る配線長を、前述した特許文献１等の背景技術の場合と比較して顕著に短くすることが可能となる。
【００５０】
ここで図７及び図８を参照して、本実施形態に係る比較例と比較することで、上述の如く構成された本実施形態の作用効果について検討する。ここに図７は、本実施形態の比較例における図３と同趣旨の部分拡大平面図である。図８は、比較例における第２電源信号（グランド電位）の変動を示すタイミングチャートである。
【００５１】
図７に示す比較例では、第２電源配線８２は、ＴＦＴアレイ基板１０上で平面的に見て、外部回路接続端子１０２から、データ線駆動回路１０１における一対の第２辺の一方側（図３中、左側）へ引き回されている。これに対して、第１電源配線８１は、ＴＦＴアレイ基板１０上で平面的に見て、外部回路接続端子１０２から、データ線駆動回路１０１における一対の第２辺の他方側（図３中、右側）へ引き回されている。その他の構成については、図３に示した実施形態と概ね同様である。
【００５２】
従って、第２電源配線８２から位相差補正回路１０８に至る配線長は、本実施形態の場合と比較して顕著に長い。
【００５３】
図８に示すように、このように構成された比較例においては、グランド電位に設定された第２電源信号ＶＳＳＹ（ＧＮＤ）が、クロック信号ＣＬＸ及び反転クロック信号ＣＬＸＢの立ち上がりや立下りに応じて大きく振られる事態が発生する。或いは、クロック信号ＣＬＸ及び反転クロック信号ＣＬＸＢの立ち上がりや立下りに応じて、第２電源信号ＶＳＳＹ（ＧＮＤ）が振られて変動する。言い換えれば、第２電源配線８２上の第２電源信号ＶＳＳＹ（ＧＮＤ）に対して、クロック信号ＣＬＸ及び反転クロック信号ＣＬＸＢの立ち上がりや立下りに応じたスパイク状のノイズが発生する。即ち、グランド電位に設定された第２電源信号ＶＳＳＹ（ＧＮＤ）において、クロック信号ＣＬＸ及び反転クロック信号ＣＬＸＢの立ち上がりや立下りに応じて発生するスパイク状のノイズが発生してしまう。
【００５４】
このようなノイズの発生は、位相差補正回路１０８における最終段のトランジスタが大きいことに起因している。上述したように位相差補正回路１０８を構成する第１バッファ回路５０１及び双安定性回路５０２の駆動能力の低下を防止するためには、最終段でのトランジスタを大きく設計する必要がある。このため、そのグランド電位側に流れる電流が無視し得ないほどに大きくなる。従って、比較例のように第２電源配線８２の外部回路接続端子１０２から位相差補正回路１０８の配線長が長い場合には、上述のように、グランド電位に設定された第２電源信号ＶＳＳＹにおいて、クロック信号ＣＬＸ及び反転クロック信号ＣＬＸＢの立ち上がりや立下りに応じて発生するスパイク状のノイズが発生してしまうのである。
【００５５】
これに対して、本実施形態では、第１電源配線８１及び第２電源配線８２から位相差補正回路１０８に至る配線長は、比較例と比べて顕著に短い。よって、位相差補正回路１０８を構成するトランジスタが大きく、より具体的には複数段からなるインバータの最終段で特にトランジスタが大きく、そのグランド電位側に流れる電流が無視し得ないほどに大きい場合であっても、外部回路接続端子１０２及び第１電源配線８１及び第２電源配線８２を介して、外部回路から極めて安定な電源の供給を行うことが可能となる。
【００５６】
従って、クロック信号ＣＬＸ及び反転クロック信号ＣＬＸＢによる画像信号ＶＩＤに対する高周波ノイズを低減しつつ、第２電源信号ＶＳＳＹ（ＧＮＤ）が、クロック信号ＣＬＸ及び反転クロック信号ＣＬＸＢの立ち上がりや立下りに応じて大きく振られる事態を回避できる。或いは、クロック信号ＣＬＸ及び反転クロック信号ＣＬＸＢの立ち上がりや立下りに応じて振られる第２電源信号ＶＳＳＹ（ＧＮＤ）の変動分を、小さくすることが可能となる。言い換えれば、クロック信号ＣＬＸ及び反転クロック信号ＣＬＸＢによる画像信号ＶＩＤに対する高周波ノイズを低減しつつ、第２電源配線８２上の第２電源信号ＶＳＳＹ（ＧＮＤ）に対して、クロック信号ＣＬＸ及び反転クロック信号ＣＬＸＢの立ち上がりや立下りに応じたスパイク状のノイズが発生する事態を回避できる。即ち、第２電源信号ＶＳＳＹ（ＧＮＤ）において、クロック信号ＣＬＸ及び反転クロック信号ＣＬＸＢの立ち上がりや立下りに応じて発生するスパイク状のノイズを小さくすることが可能となる。
【００５７】
以上の結果、本実施形態に係る電気光学装置によれば、位相差補正回路１０８に起因した電源信号におけるノイズが低減されており、高品位の画像表示を行うことが可能となる。
【００５８】
尚、第１電源配線８１と第２電源配線８２とは、ＴＦＴアレイ基板１０上の積層構造内において、相互に同層から形成されていてもよいし、相互に別層から形成されていてもよい。前者の場合、例えば、アルミニウムの単一層をパターニングすることで、両電源配線は形成される。後者の場合、例えば、層間絶縁膜を介して積層されたアルミニウムの二層を夫々パターニングすることで、両電源配線は夫々形成される。
【００５９】
加えて、第１電源配線８１は、単一層構造のみならず、二層又は多層構造を有する導電層から形成されていてもよく、更に、層間絶縁膜を介して積層された複数の導電層から形成されていてもよい。層間絶縁膜を介して積層された複数の導電層から形成される場合には、該複数の導電層間は、適当な間隔をおいて開孔されたコンタクトホールを介して電気的に接続されており、冗長構造を有する配線として構築されるとよい。また、第２電源配線８２についても、同様に単一層構造のみならず、二層又は多層構造を有する導電層から形成されていてもよく、更に、層間絶縁膜を介して積層された複数の導電層から形成されていてもよい。
【００６０】
図３において、本実施形態では、特に、クロック信号線９２、反転クロック信号線９３、第１電源配線８１、及び第２電源配線８２は、複数の外部回路接続端子１０２のうち、ＴＦＴアレイ基板１０上で平面的に見て、画像信号線９１が接続された画像信号端子１０２ｖと比べて一対の第２辺の他方側（図３中、右側）に近い端子から引き回されている。
【００６１】
更に、画像信号端子１０２ｖが一対の第２辺の一方側（図３中、左側）に近い端子であり且つ画像信号線９１が同じく一対の第２辺の一方側（図３中、左側）に引き回されているのに対して、クロック信号線９２、反転クロック信号線９３、第１電源配線８１、及び第２電源配線８２が接続される端子が、一対の第２辺の他方側（図３中、右側）に近い端子であり且つこれらの配線が同じく一対の第２辺の他方側（図３中、右側）に引き回されている。従って、これら複数の引回配線９０を、外部回路接続端子１０２からデータ線駆動回路１０１に至るまで、相交差しないように、ＴＦＴアレイ基板１０上に平面レイアウトできる。
【００６２】
更にまた、本実施形態では、複数の引回配線９０は、走査線駆動回路１０４に接続された複数の走査線駆動用配線９９を含んでいる。複数の走査線駆動用配線９９のうち、制御信号ＤＹを供給するため走査線駆動用配線９９は、複数の外部回路接続端子１０２のうち、ＴＦＴアレイ基板１０上で平面的に見て、画像信号端子１０２ｖと比べて一対の第２辺の一方側（図３中、左側）に近い端子から引き回されている。走査線駆動用配線９９のうち、制御信号ＤＩＲＹ、電源信号ＶＤＤＹを供給するための走査線駆動用配線９９は、複数の外部回路接続端子１０２のうち、ＴＦＴアレイ基板１０上で平面的に見て、クロック信号線９２、反転クロック信号線９３、第１電源配線８１、及び第２電源配線８２が接続された端子と比べて一対の第２辺の他方（図３中、右側）に近い端子から引き回されていている。
【００６３】
これにより、これら複数の引回配線９０を、外部回路接続端子１０２からデータ線駆動回路１０１又は走査線駆動回路１０４に至るまで、相交差しないように、ＴＦＴアレイ基板１０上に平面レイアウトできる。尚、走査線駆動回路用配線９９としては、例えば、走査線駆動回路１０４を動作させるための、クロック信号ＣＬＹ、反転クロック信号ＣＬＹＢ、第１電源信号ＶＤＤＹ、第２電源信号ＶＳＳＹ等の各種信号を供給する引回配線９０であり、一部において、データ線駆動回路１０１を動作させるための引回配線９０が、兼用されていてもよい。但し、走査線駆動回路１０４を動作させるための、クロック信号ＣＬＹ及び反転クロック信号ＣＬＹＢは、データ線駆動回路１０１を動作させるための、クロック信号ＣＬＸ及び反転クロック信号ＣＬＸＢと比べて、周波数が顕著に低いので、画像信号ＶＩＤに対するノイズ源としては、殆ど無視できる。
【００６４】
更に、本実施形態では、複数の引回配線９０は、データ線駆動回路１０１が画像信号ＶＩＤをサンプリングする際のサンプリング期間を制限するイネーブル信号ＥＮＢを供給するためのイネーブル供給線９５を更に含み、イネーブル供給線９５は、ＴＦＴアレイ基板１０上で平面的に見て、データ線駆動回路１０１における一対の第２辺の他方側（図３中、右側）に引き回されている。
【００６５】
このように構成されているので、本実施形態に係る電気光学装置の動作時には、データ線駆動回路１０１における画像信号ＶＩＤをサンプリングする際のサンプリング期間が、複数系列又は一系列のイネーブル信号ＥＮＢによって制限される。従って、相前後するサンプリング期間が微小に重なって、画像信号ＶＩＤがサンプリングされることによる、ゴースト等の画質劣化を効果的に防止できる。しかも、このようなイネーブル信号ＥＮＢは、その性質上、クロック信号ＣＬＸの周波数と同程度に高い周波数を有するので、画像信号ＶＩＤに対する高周波ノイズ源となり得る。しかるに本実施形態では、イネーブル供給線９５は、クロック信号線９２等と同じく、データ線駆動回路１０１における、一対の第２辺の他方側（図３中、右側）に引き回されている。即ち、画像信号線９１と逆側に引き回されているので、高周波ノイズ源となり得るイネーブル信号ＥＮＢが供給される配線であるイネーブル供給線９５を、画像信号線９１からＴＦＴアレイ基板１０面に沿って離間させて配線できる。
【００６６】
加えて、本実施形態では、イネーブル供給線９５、クロック信号線９２及び反転クロック信号線９３は、少なくとも部分的に、ＴＦＴアレイ基板１０上で平面的に見て、第１電源配線８１及び第２電源配線８２の間に配線されている。
【００６７】
これにより、ＴＦＴアレイ基板１０上において、第１電源配線８１及び第２電源配線８２を電磁シールドとしても機能させることで、イネーブル供給線９５、クロック信号線９２及び反転クロック信号線９３からの高周波ノイズから、画像信号線９１を隔離することが可能となる。よって、より高品位の画像表示が可能となる。
【００６８】
尚、本実施形態ではＴＦＴアレイ基板１０は石英基板上に薄膜トランジスタ（ＴＦＴ）を形成したものを前提としたが、ＬＣＯＳ（Liquid Crystal On Silicon）やＤＭＤ（Digital Micromirror Device）などシリコン基板上に素子を形成するデバイスでは、ＴＦＴの替わりに、通常のトランジスタを形成することが可能となる。
【００６９】
（第２実施形態）
第２実施形態に係る電気光学装置について、図９を参照して説明する。ここに図９は、第２実施形態における図３と同趣旨の部分拡大平面図である。尚、図９において、図３に示した第１実施形態に係る構成要素と同様の構成要素に同一の参照符合を付し、それらの説明は適宜省略する。
【００７０】
図９において、第２実施形態に係る電気光学装置では特に、第２電源配線８２は、外部回路接続端子１０２から、データ線駆動回路１０１における、一対の第２辺の他方側（図３中、右側）へ引き回されるとともに、位相差補正回路１０８の一対の第２辺の他方側（図３中、右側）へ引き回されている。その他の構成は、第１実施形態と同様である。
【００７１】
従って、高周波ノイズ源となり得るクロック信号ＣＬＸ及び反転クロック信号ＣＬＸＢが供給される配線であるクロック信号線９２及び反転クロック信号線９３を、画像信号線９１からＴＦＴアレイ基板１０面に沿って離間させて配線することを可能ならしめつつ、しかも、第１電源配線８１及び第２電源配線８２から位相差補正回路１０８に至る配線長を、前述した特許文献１等の背景技術の場合と比較して顕著に短くすることが可能となる。
【００７２】
更に、第２電源配線８２をクロック信号線９２、反転クロック信号線８１等の他の引回配線９０と相交差することなく、ＴＦＴアレイ基板１０上に平面レイアウトすることが可能となる。
【００７３】
（第３実施形態）
第３実施形態に係る電気光学装置について、図３を参照して説明する。
【００７４】
図３において、第３実施形態に係る電気光学装置では、特に、外部回路接続端子１０２は、第１実施形態における第１電源信号ＶＤＤＸを供給する外部回路接続端子１０２と、第２電源信号ＶＳＳＸを供給する外部回路接続端子１０２とを入れ替えて配列されている。その他の構成は、第１実施形態と同様である。
【００７５】
従って、高周波ノイズ源となり得るクロック信号ＣＬＸ及び反転クロック信号ＣＬＸＢが供給される配線であるクロック信号線９２及び反転クロック信号線９３を、画像信号線９１からＴＦＴアレイ基板１０面に沿って離間させて配線することを可能ならしめつつ、しかも、第１電源配線８１及び第２電源配線８２から位相差補正回路１０８に至る配線長を、前述した特許文献１等の背景技術の場合と比較して顕著に短くすることが可能となる。  （電子機器）
次に、上述した電気光学装置である液晶装置を各種の電子機器に適用する場合について説明する。
【００７６】
まず、この液晶装置をライトバルブとして用いたプロジェクタについて説明する。図１０は、プロジェクタの構成例を示す平面図である。この図１０に示されるように、プロジェクタ１１００内部には、ハロゲンランプ等の白色光源からなるランプユニット１１０２が設けられている。このランプユニット１１０２から射出された投射光は、ライトガイド１１０４内に配置された４枚のミラー１１０６および２枚のダイクロイックミラー１１０８によってＲＧＢの３原色に分離され、各原色に対応するライトバルブとしての液晶パネル１１１０Ｒ、１１１０Ｂおよび１１１０Ｇに入射される。
【００７７】
液晶パネル１１１０Ｒ、１１１０Ｂおよび１１１０Ｇの構成は、上述した液晶装置と同等であり、画像信号処理回路から供給されるＲ、Ｇ、Ｂの原色信号でそれぞれ駆動されるものである。そして、これらの液晶パネルによって変調された光は、ダイクロイックプリズム１１１２に３方向から入射される。このダイクロイックプリズム１１１２においては、ＲおよびＢの光が９０度に屈折する一方、Ｇの光が直進する。したがって、各色の画像が合成される結果、投射レンズ１１１４を介して、スクリーン等にカラー画像が投写されることとなる。
【００７８】
ここで、各液晶パネル１１１０Ｒ、１１１０Ｂおよび１１１０Ｇによる表示像について着目すると、液晶パネル１１１０Ｇによる表示像は、液晶パネル１１１０Ｒ、１１１０Ｂによる表示像に対して左右反転することが必要となる。
【００７９】
なお、液晶パネル１１１０Ｒ、１１１０Ｂおよび１１１０Ｇには、ダイクロイックミラー１１０８によって、Ｒ、Ｇ、Ｂの各原色に対応する光が入射するので、カラーフィルタを設ける必要はない。
【００８０】
次に、液晶装置を、モバイル型のパーソナルコンピュータに適用した例について説明する。図１１は、このパーソナルコンピュータの構成を示す斜視図である。図１１において、コンピュータ１２００は、キーボード１２０２を備えた本体部１２０４と、液晶表示ユニット１２０６とから構成されている。この液晶表示ユニット１２０６は、先に述べた液晶装置１００５の背面にバックライトを付加することにより構成されている。
【００８１】
さらに、液晶装置を、携帯電話に適用した例について説明する。図１２は、この携帯電話の構成を示す斜視図である。図１２において、携帯電話１３００は、複数の操作ボタン１３０２とともに、反射型の液晶装置１００５を備えるものである。この反射型の液晶装置１００５にあっては、必要に応じてその前面にフロントライトが設けられる。
【００８２】
尚、図１０から図１２を参照して説明した電子機器の他にも、液晶テレビや、ビューファインダ型、モニタ直視型のビデオテープレコーダ、カーナビゲーション装置、ページャ、電子手帳、電卓、ワードプロセッサ、ワークステーション、テレビ電話、ＰＯＳ端末、タッチパネルを備えた装置等などが挙げられる。そして、これらの各種電子機器に適用可能なのは言うまでもない。
【００８３】
本発明は、上述した実施形態に限られるものではなく、請求の範囲及び明細書全体から読み取れる発明の要旨或いは思想に反しない範囲で適宜変更可能であり、そのような変更を伴う電気光学装置及び該電気光学装置を備えてなる電子機器もまた本発明の技術的範囲に含まれるものである。
【００８４】
例えば、ＬＣＯＳ、ＤＭＤ、有機ＥＬ装置など、各種の透過型、反射型、自発光型のデバイスに適用可能である。
【図面の簡単な説明】
【００８５】
【図１】本発明の第１実施形態に係る、電気光学装置の全体構成を示す平面図である。
【図２】図１のＨ−Ｈ’の断面図である。
【図３】外部回路接続端子の配列及び引回配線のレイアウトを示す部分拡大平面図である。
【図４】変形例における画像信号線のレイアウトを示す部分拡大図である。
【図５】位相差補正回路の回路図である。
【図６】図５の回路における各位置での信号波形を示すタイミングチャートである。
【図７】比較例における図３と同趣旨の部分拡大平面図である。
【図８】比較例における第２電源信号の変動を示すタイミングチャートである。
【図９】第２実施形態における図３と同趣旨の部分拡大平面図である。
【図１０】電気光学装置を適用した電子機器の一例たるプロジェクタの構成を示す平面図である。
【図１１】電気光学装置を適用した電子機器の一例たるパーソナルコンピュータの構成を示す斜視図である。
【図１２】電気光学装置を適用した電子機器の一例たる携帯電話の構成を示す斜視図である。
【符号の説明】
【００８６】
１０…ＴＦＴアレイ基板、９ａ…画素電極、１０ａ…画像表示領域、２０…対向基板、２１…対向電極、２３…遮光膜、５０…液晶層、５２…シール材、５３…額縁遮光膜、８１…第１電源配線、８２…第２電源配線、９０…引回配線、９１…画像信号線、９２…クロック信号線、９３…反転クロック信号線、９５…イネーブル供給線、９９…走査線駆動用配線、１０１…データ線駆動回路、１０２、１０２ｖ…外部回路接続端子、１０４…走査線駆動回路、１０６…上下導通端子、１０７…上下導通材、１０８…位相差補正回路、４０１…シフトレジスタ、４０２…選択回路、４０３…バッファ回路、３０１…サンプリング回路、５０１…第１バッファ回路、５０２…双安定性回路、５０３…第２バッファ回路、５０１ａ、５０１ｂ、５０２ａ、５０２ｂ、５０３ａ、５０３ａ’、５０３ｂ、５０３ｂ’…インバータ、ＣＬＸ…クロック信号、ＣＬＸＢ…反転クロック信号、ＶＤＤＸ、ＶＤＤＹ…第１電源信号、ＶＳＳＸ、ＶＳＳＹ…第２電源信号
【図１】
2006215377.tif 000003
【図２】
2006215377.tif 000004
【図３】
2006215377.tif 000005
【図４】
2006215377.tif 000006
【図５】
2006215377.tif 000007
【図６】
2006215377.tif 000008
【図７】
2006215377.tif 000009
【図８】
2006215377.tif 000010
【図９】
2006215377.tif 000011
【図１０】
2006215377.tif 000012
【図１１】
2006215377.tif 000013
【図１２】
2006215377.tif 000014